【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
扉(C)に取付けられる軸金具(A)と、建具等の固定枠体(D)に取付けられる受け金具(B)とからなり、前記軸金具(A)は扉(C)に固定された第一持出しプレート(1)と、該第一持出しプレート(1)の先端部分に固定された筒部材(2)と、上端が突出した状態で筒部材(2)に上下移動自在に収納され且つ常時スプリング(4)によって突出方向に付勢されたピボット(3)と、前記筒部材(2)の周囲に配置されて前記ピボット(3)をスプリングに抗して没姿勢に引き下げるつまみ部(5)とからなり、前記受け金具(B)は前記固定枠体(D)に取り付けられた第二持出しプレート(13)と、この第二持出しプレート(13)の先端部に形成されて前記ピボット(3)の先端を受け入れる受穴(14)とから形成され、前記ピボット(3)の突出部の下部周面にナット部材(6)が配置され、該ナット部材(6)の下方部分が筒部材(2)内に延長されてその外周面と筒部材(2)の内周面とが螺合されており、これによりナット部材(6)が上下移動調整自在に設けられているピボット調整蝶番。
【請求項２】
扉(C)に取付けられる軸金具(A)と、建具等の固定枠体(D)に取付けられる受け金具(B)とからなり、前記軸金具(A)は扉(C)に固定された第一持出しプレート(1)と、該第一持出しプレート(1)の先端部分に固定された筒部材(2)と、上端が突出した状態で筒部材(2)に上下移動自在に収納され且つ常時スプリング(4)によって突出方向に付勢されたピボット(3)と、前記筒部材(2)の周囲に配置されて前記ピボット(3)をスプリングに抗して没姿勢に引き下げるつまみ部(5)とからなり、前記受け金具(B)は前記固定枠体(D)に取り付けられた第二持出しプレート(13)と、この第二持出しプレート(13)の先端部に形成されて前記ピボット(3)の先端を受け入れる受穴(14)とから形成され、前記第一持出しプレート(1)の基端部下面に差込ブロック(7)が固定され、この差込ブロック(7)を垂直な前面から水平に受け入れるケーシング(8)が設けられ、前記差込ブロック(7)はケーシング(8)に対して調節ネジ(9)により差込方向に移動調整自在に取り付けられているピボット調整蝶番。
【請求項３】
扉(C)に取付けられる軸金具(A)と、建具等の固定枠体(D)に取付けられる受け金具(B)とからなり、前記軸金具(A)は扉(C)に固定された第一持出しプレート(1)と、該第一持出しプレート(1)の先端部分に固定された筒部材(2)と、上端が突出した状態で筒部材(2)に上下移動自在に収納され且つ常時スプリング(4)によって突出方向に付勢されたピボット(3)と、前記筒部材(2)の周囲に配置されて前記ピボット(3)をスプリングに抗して没姿勢に引き下げるつまみ部(5)とからなり、前記受け金具(B)は前記固定枠体(D)に取り付けられた第二持出しプレート(13)と、この第二持出しプレート(13)の先端部に形成されて前記ピボット(3)の先端を受け入れる受穴(14)とから形成され、前記第二持出しプレート(13)の基端部に垂直な取付片(15)が設けられ、この取付片(15)が固定枠体(D)の内側面に固定された受枠(16)に対して受枠巾方向に移動調節できるように取り付けられているピボット調整蝶番。
【請求項４】
前記取付片(15)が受枠(16)に対して長穴(19)とビス(20)を介して受枠巾方向にのみスライド自在に保持され、前記受枠(16)または取付片(15)にカム(17)が設けられ、このカム(17)が前記取付片(15)または受枠(16)に形成されたカム孔(18)に挿入され、前記カム(17)を回動することにより取付片(15)が受枠巾方向に移動調節できるように形成されている請求項３に記載のピボット調整蝶番。
【請求項５】
前記第一持出しプレート(1)の基端部下面に差込ブロック(7)が固定され、この差込ブロック(7)を垂直な前面から水平に受け入れるケーシング(8)が設けられ、前記差込ブロック(7)はケーシング(8)に対して調節ネジ(9)により差込方向に移動調整自在に取り付けられ、且つ所定の位置で差込ブロック(7)をケーシング(8)に固定する固定ネジ(10)が設けられている請求項１又は請求項３に記載のピボット調整蝶番。
【請求項６】
前記第二持出しプレート(13)の基端部に垂直な取付片(15)が設けられ、この取付片(15)が固定枠体(D)の内側面に固定された受枠(16)に対して受枠巾方向に移動調節できるように取り付けられている請求項１又は請求項２に記載のピボット調整蝶番。
【請求項７】
扉(C)に取付けられる軸金具(A)と、建具等の固定枠体(D)に取付けられる受け金具(B)とからなり、前記軸金具(A)は扉(C)に固定された第一持出しプレート(1)と、該第一持出しプレート(1)の先端部分に固定された筒部材(2)と、上端が突出した状態で筒部材(2)に上下移動自在に収納され且つ常時スプリング(4)によって突出方向に付勢されたピボット(3)と、前記筒部材(2)の周囲に配置されて前記ピボット(3)をスプリングに抗して没姿勢に引き下げるつまみ部(5)とからなり、前記受け金具(B)は前記固定枠体(D)に取り付けられた第二持出しプレート(13)と、この第二持出しプレート(13)の先端部に形成されて前記ピボット(3)の先端を受け入れる受穴(14)とから形成され、前記第一持出しプレート(1)の基端部下面に差込ブロック(7)が固定され、この差込ブロック(7)を垂直な前面から水平に受け入れるケーシング(8)が設けられ、前記差込ブロック(7)はケーシング(8)に対して調節ネジ(9)により差込方向に移動調整自在に取り付けられており、更に加えて前記第二持出しプレート(13)の基端部に垂直な取付片(15)が設けられ、この取付片(15)が固定枠体(D)の内側面に固定された受枠(16)に対して受枠巾方向に移動調節できるように取り付けられている三次元調整可能なピボット調整蝶番。
【手続補正２】
【補正対象書類名】明細書
【補正対象項目名】０００７
【補正方法】変更
【補正の内容】
【０００７】
【課題を解決するための手段】
上記目的を達成する為に本発明では次のような技術的手段を講じた。即ち、本発明に係るピボット蝶番にあっては、扉Ｃに取付けられる軸金具Ａと、建具等の固定枠体Ｄに取付けられる受け金具Ｂとからなり、前記軸金具Ａは扉Ｃに固定された第一持出しプレート１と、該第一持出しプレート１の先端部分に固定された筒部材２と、上端が突出した状態で筒部材２に上下移動自在に収納され且つ常時スプリング４によって突出方向に付勢されたピボット３と、前記筒部材２の周囲に配置されて前記ピボット３をスプリングに抗して没姿勢に引き下げるつまみ部５とからなり、前記受け金具Ｂは前記固定枠体Ｄに取り付けられた第二持出しプレート１３と、この第二持出しプレート１３の先端部に形成されて前記ピボット３の先端を受け入れる受穴１４とから構成され、前記ピボット３の突出部の下部周面にナット部材６を配置し、該ナット部材６の下方部分を筒部材２内に延長してその外周面と筒部材２の内周面とを螺合することにより、ナット部材６を上下移動調整自在とした構造を特徴とする。このように形成することにより、本発明のピボット蝶番を図５に示すように扉Ｃの下方部分に設置したときに、ナット部材６を上下動させることによりナット部材６の下面と受け具Ｂの受穴周囲の上面２１との当接位置が変動し、これにより、ピボット３と受穴による軸受け部分の位置が上下方向に調整することができる。


【手続補正３】
【補正対象書類名】明細書
【補正対象項目名】０００８
【補正方法】変更
【補正の内容】
【０００８】
更に本発明では、扉Ｃに取付けられる軸金具Ａと、建具等の固定枠体Ｄに取付けられる受け金具Ｂとからなり、前記軸金具Ａは扉Ｃに固定された第一持出しプレート１と、該第一持出しプレート１の先端部分に固定された筒部材２と、上端が突出した状態で筒部材２に上下移動自在に収納され且つ常時スプリング４によって突出方向に付勢されたピボット３と、前記筒部材２の周囲に配置されて前記ピボット３をスプリングに抗して没姿勢に引き下げるつまみ部５とからなり、前記受け金具Ｂは前記固定枠体Ｄに取り付けられた第二持出しプレート１３と、この第二持出しプレート１３の先端部に形成されて前記ピボット３の先端を受け入れる受穴１４とから構成され、前記第一持出しプレート１の基端部下面に差込ブロック７が固定され、この差込ブロック７を垂直な前面から水平に受け入れるケーシング８が設けられており、前記差込ブロック７はケーシング８に対して調節ネジ９により差込方向に移動調整自在に取り付けられている構造も特徴とする。前記ケーシング８は前端面８ａが扉Ｃの端面２２と略面一となるように扉に埋め込んで取付けられる。このような構造とすることにより、固定ネジ１０を緩めたあと、調節ネジ９を回動することにより、差込ブロック７を第一持出しプレート１と共に扉Ｃの左右方向（図１の矢印ａ方向）に移動調整してピボット３と受穴１４による軸受け部分の位置を扉Ｃの左右方向に調整することができる。尚、前記差込ブロック７は、調整後の所定の位置でケーシング８に固定ネジ１０で固定できるようにするのが好ましい。
【手続補正４】
【補正対象書類名】明細書
【補正対象項目名】０００９
【補正方法】変更
【補正の内容】
【０００９】
更に加えて本発明では、扉Ｃに取付けられる軸金具Ａと、建具等の固定枠体Ｄに取付けられる受け金具Ｂとからなり、前記軸金具Ａは扉Ｃに固定された第一持出しプレート１と、該第一持出しプレート１の先端部分に固定された筒部材２と、上端が突出した状態で筒部材２に上下移動自在に収納され且つ常時スプリング４によって突出方向に付勢されたピボット３と、前記筒部材２の周囲に配置されて前記ピボット３をスプリングに抗して没姿勢に引き下げるつまみ部５とからなり、前記受け金具Ｂは前記固定枠体Ｄに取り付けられた第二持出しプレート１３と、この第二持出しプレート１３の先端部に形成されて前記ピボット３の先端を受け入れる受穴１４とから構成され、前記受け金具Ｂの第二持出しプレート１３の基端部に垂直な取付片１５が設けられ、この取付片１５が固定枠体Ｄの内側面に固定された受枠１６に対して受枠巾方向に移動調節できるように取り付けられている構造も特徴とする。前記取付片１５は、受枠１６に対して長穴１９とビス２０を介して受枠巾方向にのみスライド自在に保持され、前記受枠１６または取付片１５にカム１７が設けられ、このカム１７が前記取付片１５または受枠１６に形成されたカム孔１８に挿入され、前記カム１７を回動することにより取付片１５が受枠巾方向に移動調節できるように形成するのがよい。これによりピボット３と受穴１４による軸受け部分の位置を扉Ｃの前後方向（図１における矢印ｂ方向）に調整することができる。